(57)【要約】      （修正有）【課題】断線の発生を抑制する。【解決手段】液晶表示装置は、ドライバ１２と、第１領域Ａ１と、第１領域Ａ１に対して端側に位置し拡張外形部１１ＥＸを有する第２領域Ａ２と、を含むアレイ基板２１と、第１領域Ａ１と第２領域Ａ２とに跨り画像を表示する表示領域ＡＡと、表示領域ＡＡに配されて表示用の信号を伝送するソース配線と、第１領域Ａ１に配されるスルータッチ配線３１Ｃと、第２領域Ａ２に配される第２タッチ電極３０Ｂと、ドライバ１２とソース配線におけるドライバ１２側の端部とに接続されるソース引き出し配線と、ドライバ１２とスルータッチ配線３１Ｃにおけるドライバ１２側の端部とに接続される第１タッチ引き出し配線４０と、スルータッチ配線３１Ｃにおけるドライバ１２側とは反対側の端部と第２タッチ電極３０Ｂとに接続される第２タッチ引き出し配線４１と、を備える。【選択図】図６
2019086575.tif 000002
【特許請求の範囲】
【請求項１】
信号を供給する信号供給部と、
前記信号供給部からの距離が大きくなるのに従って幅が拡張される拡張外形部を有する基板であって、第１領域と、前記第１領域に対して端側に位置していて前記拡張外形部を有する第２領域と、を含む基板と、
前記基板において前記第１領域と前記第２領域とに跨るよう配されて画像を表示する表示領域と、
前記表示領域に配されて表示のための信号を伝送する表示配線と、
前記第１領域に配されて信号を伝送する配線と、
前記第２領域に配される被信号供給部と、
前記信号供給部と前記表示配線における前記信号供給部側の端部とに接続される表示引き出し配線と、
前記信号供給部と前記配線における前記信号供給部側の端部とに接続される第１引き出し配線と、
前記配線における前記信号供給部側とは反対側の端部と前記被信号供給部とに接続される第２引き出し配線と、を備える表示装置。
【請求項２】
前記表示領域に配されて位置入力を行う位置入力体との間で静電容量を形成し、前記位置入力体による入力位置を検出する位置検出電極と、
前記第２領域に配されて前記被信号供給部に接続されるとともに前記信号供給部側とは反対側の端部が前記第２引き出し配線に接続される第２の配線と、を備えており、
前記被信号供給部は、前記第２領域に配される前記位置検出電極からなる請求項１記載の表示装置。
【請求項３】
前記第１領域に配されて信号を伝送し前記位置検出電極に接続される第１領域用配線と、
前記信号供給部と前記第１領域用配線における前記信号供給部側の端部とに接続される第１領域用引き出し配線と、を備える請求項２記載の表示装置。
【請求項４】
前記表示領域に配されて前記表示配線に接続される画素電極を備えており、
前記第１領域用配線及び前記配線は、前記第１領域において互いに並行するよう延在していて前記表示配線及び前記画素電極に対する位置関係が互いに同じとされる請求項３記載の表示装置。
【請求項５】
前記第２の配線は、複数が配されており、
前記第２領域に配される前記位置検出電極は、前記信号供給部からの距離が異なるよう複数並んで配されていて、前記信号供給部からの距離が小さくなるほど前記第２の配線の接続数が多くされている請求項２から請求項４のいずれか１項に記載の表示装置。
【請求項６】
前記第２領域に配されて前記位置検出電極に接続される第３の配線と、
前記信号供給部と前記第３の配線における前記信号供給部側の端部とに接続される第３引き出し配線と、を備える請求項２から請求項５のいずれか１項に記載の表示装置。
【請求項７】
前記第２領域に配される前記位置検出電極は、前記信号供給部からの距離が異なるよう複数並んで配されていて、前記第３の配線に接続されたものが、前記第２の配線に接続されたものよりも前記信号供給部の近くに配される請求項６記載の表示装置。
【請求項８】
前記表示領域に配されて前記表示配線と交差する形で延在しつつ表示のための信号を伝送する第２の表示配線と、
前記第２領域にて前記表示領域外に配されて前記第２の表示配線に信号を供給する表示回路部と、を備えており、
前記被信号供給部は、前記表示回路部からなる請求項１記載の表示装置。
【請求項９】
前記第２領域は、前記信号供給部からの距離が大きくなるのに従って幅が縮小される縮小外形部を有する請求項１から請求項８のいずれか１項に記載の表示装置。
【請求項１０】
前記第２領域は、前記信号供給部からの距離に拘わらず幅が一定とされる一定外形部を有する請求項１から請求項８のいずれか１項に記載の表示装置。
【請求項１１】
前記基板には、前記表示領域に配されて前記表示配線に接続される画素電極が複数設けられており、
前記基板に対して間に間隔を空けて対向する形で配されて複数の前記画素電極とそれぞれ重畳する形で配されて少なくとも青色、緑色及び赤色を呈する複数のカラーフィルタが、前記配線の延在方向と直交する直交方向に沿って並ぶ形で設けられる対向基板が備えられており、
前記基板及び前記対向基板は、板面が前記直交方向に並行する湾曲軸周りに湾曲する請求項１から請求項１０のいずれか１項に記載の表示装置。
【請求項１２】
前記信号供給部は、前記直交方向に沿って延在する請求項１１記載の表示装置。
【請求項１３】
前記配線及び前記表示配線は、互いに並行するよう延在していて同じ層に配されている請求項１から請求項１２のいずれか１項に記載の表示装置。
【請求項１４】
前記配線、前記第１引き出し配線及び前記第２引き出し配線は、互いに同じ層に配されている請求項１から請求項１３のいずれか１項に記載の表示装置。
【請求項１５】
前記表示配線及び前記表示引き出し配線は、互いに同じ層に配されている請求項１から請求項１４のいずれか１項に記載の表示装置。
【発明の詳細な説明】
【技術分野】
【０００１】
本発明は、表示装置に関する。
【背景技術】
【０００２】
従来、タッチパネル機能をインセル化した表示パネルを備えた表示装置の一例として下記特許文献１に記載されたものが知られている。特許文献１に記載された表示パネルは、画素に接続された信号配線と、タッチセンサに接続されたセンサラインと、を備える。ディスプレイ駆動期間の間、センサラインの一端に共通電圧を供給し、タッチセンサ駆動期間の間、センサラインの一端にタッチ駆動信号を供給する第１給電部と、ディスプレイ駆動期間の間、センサラインを接続して、タッチセンサを互いに短絡させ、センサラインの他端において共通電圧を供給する第２給電部を含む。第２給電部は、タッチセンサ駆動期間の間、センサラインを分離する。
【先行技術文献】
【特許文献】
【０００３】
【特許文献１】特開２０１５−２１０８１１号公報
【発明の概要】
【発明が解決しようとする課題】
【０００４】
上記した特許文献１によれば、画素に印加される共通電圧が均一になり、タッチ感度とタッチ認識精度が向上する効果が得られる。この特許文献１は、表示領域の平面形状が矩形状とされる表示パネルを開示しているが、表示領域の平面形状が非矩形状とされる表示パネルも存在する。例えば、信号の供給源であるドライバからの距離が大きくなるのに従って幅が拡張される拡張外形部を有する表示パネルでは、拡張外形部付近においてセンサラインをドライバに接続するための引き出し配線の延面距離が大きくなる傾向にあった。その上、ドライバと拡張外形部との間には、上記したセンサラインに接続された引き出し配線に加えて、データラインをドライバに接続するための引き出し配線が配されているため、配線密度が高くなっている。これらに起因してセンサラインに接続された引き出し配線の線幅が狭くなりがちであり、断線の発生が懸念されていた。
【０００５】
本発明は上記のような事情に基づいて完成されたものであって、断線の発生を抑制することを目的とする。
【課題を解決するための手段】
【０００６】
本発明の表示装置は、信号を供給する信号供給部と、前記信号供給部からの距離が大きくなるのに従って幅が拡張される拡張外形部を有する基板であって、第１領域と、前記第１領域に対して端側に位置していて前記拡張外形部を有する第２領域と、を含む基板と、前記基板において前記第１領域と前記第２領域とに跨るよう配されて画像を表示する表示領域と、前記表示領域に配されて表示のための信号を伝送する表示配線と、前記第１領域に配されて信号を伝送する配線と、前記第２領域に配される被信号供給部と、前記信号供給部と前記表示配線における前記信号供給部側の端部とに接続される表示引き出し配線と、前記信号供給部と前記配線における前記信号供給部側の端部とに接続される第１引き出し配線と、前記配線における前記信号供給部側とは反対側の端部と前記被信号供給部とに接続される第２引き出し配線と、を備える。
【０００７】
このようにすれば、表示領域には、表示配線によって伝送される表示のための信号に基づいて画像が表示される。ここで、基板に含まれる第２領域は、第１領域に対して端側に位置していて拡張外形部を有しているため、第２領域に配される被信号供給部は、第１領域に配されるものに比べると、信号供給部からの距離が大きくなる傾向にある。このため、仮に被信号供給部を信号供給部に対して直接接続する引き出し配線を設けると、その延面距離が大きくなり過ぎるおそれがある。その上、信号供給部から第２領域に配される被信号供給部に至るまでの領域には、第２領域に配された表示配線に接続される表示引き出し配線が配されているため、仮に上記した被信号供給部を信号供給部に対して直接接続する引き出し配線を設けると、配線密度が過剰に高くなり、同引き出し配線の線幅が狭くなりがちとされる。このように、被信号供給部を信号供給部に対して直接接続する引き出し配線は、延面距離が過大となり且つ線幅が過小となる傾向にあるため、断線の発生が懸念される。
【０００８】
これに対し、第２領域に配される被信号供給部には、第１領域に配される配線と、その配線における信号供給部側の端部に接続される第１引き出し配線と、配線における信号供給部側とは反対側の端部に接続される第２引き出し配線と、を介して信号が供給されているので、被信号供給部を信号供給部に対して直接接続する引き出し配線が不要になる。第２引き出し配線は、信号供給部から第２領域に至るまでの領域に配されることがないので、少なくとも配線密度の過密化が避けられている。これにより、第２引き出し配線の線幅を十分に広く確保することができ、もって断線の発生が抑制される。
【発明の効果】
【０００９】
本発明によれば、断線の発生を抑制することができる。
【図面の簡単な説明】
【００１０】
【図１】本発明の実施形態１に係る液晶表示装置に備わる液晶パネルの平面図
【図２】液晶パネルを構成するアレイ基板の画素配列を示す平面図
【図３】液晶パネルを構成するＣＦ基板の画素配列を示す平面図
【図４】液晶パネルにおけるＴＦＴ付近の断面図
【図５】液晶パネルにおける四隅の各角部付近を拡大した平面図
【図６】液晶パネルにおける第２領域を拡大した平面図
【図７】液晶パネルにおける第２領域のドライバ側の角部付近を拡大した平面図
【図８】本発明の実施形態２に係る液晶パネルにおける第２領域を拡大した平面図
【図９】本発明の実施形態３に係る液晶パネルの平面図
【図１０】液晶パネルにおける四隅の各角部付近を拡大した平面図
【図１１】本発明の実施形態４に係る液晶パネルの平面図
【図１２】液晶パネルにおける第１領域及び第２領域を拡大した平面図
【図１３】本発明の実施形態５に係る液晶パネルの平面図
【図１４】本発明の実施形態６に係る液晶パネルの斜視図
【図１５】液晶パネルの平面図
【発明を実施するための形態】
【００１１】
＜実施形態１＞
本発明の実施形態１を図１から図７によって説明する。本実施形態では、タッチパネル機能（位置入力機能）を備えた液晶表示装置（表示装置）１０について例示する。なお、各図面の一部にはＸ軸、Ｙ軸及びＺ軸を示しており、各軸方向が各図面で示した方向となるように描かれている。また、図４の上側を表側とし、同図下側を裏側とする。
【００１２】
液晶表示装置１０は、図１に示すように、画像を表示可能な液晶パネル（表示パネル）１１と、液晶パネル１１に対して表示に利用するための光を照射する外部光源であるバックライト装置（照明装置）と、を少なくとも備える。本実施形態では、液晶パネル１１の画面サイズが例えば１２インチ程度（具体的には１２．４インチ）とされるとともに、解像度が「１９２０×７２０」とされる。バックライト装置は、液晶パネル１１に対して裏側（背面側）に配置され、白色の光（白色光）を発する光源（例えばＬＥＤなど）や光源からの光に光学作用を付与することで面状の光に変換する光学部材などを有する。なお、バックライト装置に関しては図示を省略している。
【００１３】
液晶パネル１１は、図１に示すように、平面に視た外形が一般的な方形ではなく、外形の一部に円弧のような曲線状部分を含む異形（非矩形）とされる。液晶パネル１１は、全体としては縦長形状とされており、後述するドライバ１２からの距離が大きくなるのに従って幅が拡張される拡張外形部１１ＥＸと、ドライバ１２からの距離が大きくなるのに従って幅が縮小される縮小外形部１１ＳＨと、を有している。より具体的には、液晶パネル１１は、図１に示す右端部分を除く大部分が平面に視て縦長の方形状をなす第１領域Ａ１とされるのに対し、図１に示す右端部分が平面に視て弓形状をなす第２領域Ａ２とされる。第１領域Ａ１は、外形がいずれもＸ軸方向またはＹ軸方向に並行する直線状をなしており、拡張外形部１１ＥＸ及び縮小外形部１１ＳＨを有さない。第２領域Ａ２は、第１領域Ａ１に対してＸ軸方向について端側に位置していて、外形の一部ずつが平面に視て円弧状（曲線状）をなす拡張外形部１１ＥＸ及び縮小外形部１１ＳＨとされる。第２領域Ａ２の外形における長辺部のうち、Ｙ軸方向について図１に示す下側部分（ドライバ１２に近い部分）が拡張外形部１１ＥＸとされるのに対し、Ｙ軸方向について図１に示す上側部分（ドライバ１２から遠い部分）が縮小外形部１１ＳＨとされる。
【００１４】
液晶パネル１１は、図１に示すように、画面の中央側部分が、画像が表示される表示領域（図１において一点鎖線により囲った範囲）ＡＡとされるのに対し、画面における表示領域ＡＡを取り囲む額縁状の外周側部分が、画像が表示されない非表示領域ＮＡＡとされている。液晶パネル１１において表示領域ＡＡは、上記した第１領域Ａ１と第２領域Ａ２とに跨るよう配されており、平面に視た形状が液晶パネル１１の外形の相似形となっていて異形である。また、液晶パネル１１において非表示領域ＮＡＡは、第１領域Ａ１と第２領域Ａ２とに跨るよう配されている。液晶パネル１１は、一対の基板２０，２１を貼り合わせてなる。一対の基板２０，２１のうち表側（正面側）がＣＦ基板（対向基板）２０とされ、裏側（背面側）がアレイ基板（基板、アクティブマトリクス基板）２１とされる。ＣＦ基板２０及びアレイ基板２１は、いずれもガラス基板の内面側に各種の膜が積層形成されてなる。両基板２０，２１は、それぞれが上記した第１領域Ａ１及び第２領域Ａ２を含む。なお、両基板２０，２１の外面側には、それぞれ図示しない偏光板が貼り付けられている。
【００１５】
ＣＦ基板２０は、図１に示すように、長辺寸法がアレイ基板２１の長辺寸法よりも短くされるのに対し、アレイ基板２１に対して長辺方向（Ｙ軸方向）についての一方の端部が揃う形で貼り合わせられている。従って、アレイ基板２１における長辺方向についての他方の端部は、ＣＦ基板２０に対して側方に突き出している。このアレイ基板２１の突き出し部分（非表示領域ＮＡＡの短辺部分）には、次述する表示機能やタッチパネル機能に係る各種信号を供給するためのドライバ（信号供給部）１２及びフレキシブル基板１３が実装されている。ドライバ１２は、内部に駆動回路を有するＬＳＩチップからなり、アレイ基板２１に対してＣＯＧ（Chip On Glass）実装されており、フレキシブル基板１３によって伝送される各種信号を処理する。本実施形態では、ドライバ１２は、Ｘ軸方向に沿って延在する細長いブロック状をなしており、アレイ基板２１における短辺方向（Ｘ軸方向）についてのほぼ中央位置に１つが実装されている。フレキシブル基板１３は、絶縁性及び可撓性を有する合成樹脂材料（例えばポリイミド系樹脂等）からなる基材上に多数本の配線パターン（図示せず）を形成した構成とされる。フレキシブル基板１３は、その一端側が液晶パネル１１の非表示領域ＮＡＡに、他端側が図示しないコントロール基板（信号供給源）に、それぞれ接続されている。コントロール基板から供給される各種信号は、フレキシブル基板１３を介して液晶パネル１１に伝送され、非表示領域ＮＡＡにおいてドライバ１２による処理を経て表示領域ＡＡへ向けて出力される。また、アレイ基板２１の非表示領域ＮＡＡのうち、ドライバ１２及びフレキシブル基板１３の実装領域に対して隣り合う長辺部分には、ゲート回路部（表示回路部）ＧＤＭが設けられている。ゲート回路部ＧＤＭは、アレイ基板２１に設けられる各種の膜を利用してモノリシックに設けられており、後述するゲート配線２６に走査信号（信号）を供給するためのものである。アレイ基板２１の非表示領域ＮＡＡには、ゲート回路部ＧＤＭとフレキシブル基板１３とを中継接続するゲート回路接続配線３９が設けられている。ゲート回路接続配線３９には、クロック信号を伝送するクロック配線、低電位信号を伝送する低電位配線、開始信号を伝送する開始信号配線などが含まれる。
【００１６】
液晶パネル１１を構成するアレイ基板２１の表示領域ＡＡにおける内面側には、図２に示すように、ＴＦＴ（薄膜トランジスタ、スイッチング素子）２３及び画素電極２４が少なくとも設けられている。ＴＦＴ２３及び画素電極２４は、多数個ずつＸ軸方向及びＹ軸方向に沿って間隔を空けて並んでマトリクス状（行列状）に設けられている。これらＴＦＴ２３及び画素電極２４の周りには、互いに直交（交差）するゲート配線（第２の表示配線、走査配線）２６及びソース配線（表示配線、信号配線）２７が配設されている。ゲート配線２６は、Ｘ軸方向に沿って延在するのに対し、ソース配線２７は、Ｙ軸方向に沿って延在している。ゲート配線２６は、例えば１９２０本、ソース配線２７は、例えば２１６０本、それぞれ配されている。ＴＦＴ２３は、ゲート配線２６に接続されるゲート電極２３Ａと、ソース配線２７に接続されるソース電極２３Ｂと、画素電極２４に接続されるドレイン電極２３Ｃと、ソース電極２３Ｂ及びドレイン電極２３Ｃに接続されるチャネル部２３Ｄと、を有する。そして、ＴＦＴ２３は、ゲート配線２６に供給される走査信号に基づいて駆動される。すると、ソース配線２７に供給される画像信号に係る電位がチャネル部２３Ｄを介してドレイン電極２３Ｃに供給され、もって画素電極２４が画像信号に係る電位に充電される。画素電極２４は、平面形状が縦長の略方形とされており、その短辺方向がゲート配線２６の延在方向と、長辺方向がソース配線２７の延在方向と、それぞれ一致している。また、アレイ基板２１の表示領域ＡＡには、後に詳しく説明するタッチ配線（位置検出配線）３１が設けられている。本実施形態では、タッチ配線３１は、ソース配線２７に並行する形で延在し、Ｘ軸方向についてソース配線２７と、そのソース配線２７が接続非対象となる画素電極２４と、の間に介在する配置とされる。タッチ配線３１は、ソース配線２７と同数本またはそれより少ない本数配されている。
【００１７】
ＣＦ基板２０の表示領域ＡＡにおける内面側には、図３に示すように、カラーフィルタ２８及び遮光部（ブラックマトリクス）２９が少なくとも設けられている。カラーフィルタ２８は、青色（Ｂ）、緑色（Ｇ）及び赤色（Ｒ）の３色を呈するよう設けられている。カラーフィルタ２８は、互いに異なる色を呈するものがゲート配線２６（Ｘ軸方向）に沿って繰り返し多数並ぶとともに、それらがソース配線２７（Ｙ軸方向）に沿って延在することで、全体としてストライプ状に配列されている。これらのカラーフィルタ２８は、アレイ基板２１側の各画素電極２４と平面に視て重畳する配置とされている。遮光部２９は、Ｘ軸方向について隣り合うカラーフィルタ２８の間（色境界）を仕切るよう設けられており、カラーフィルタ２８及びソース配線２７に沿って延在している。この液晶パネル１１においては、Ｘ軸方向に沿って並ぶＲ，Ｇ，Ｂのカラーフィルタ２８と、各カラーフィルタ２８と対向する３つの画素電極２４と、が３色の画素部ＰＸをそれぞれ構成している。そして、この液晶パネル１１においては、Ｘ軸方向に沿って隣り合うＲ，Ｇ，Ｂの３色の画素部ＰＸによって所定の階調のカラー表示を可能な表示画素が構成されている。画素部ＰＸにおけるＸ軸方向についての配列ピッチは、例えば５０μｍ程度（具体的には５１．２５μｍ）とされ、Ｙ軸方向についての配列ピッチは、例えば１５０μｍ程度（具体的には１５３．７５μｍ）とされる。
【００１８】
液晶パネル１１は、図４に示すように、一対の基板２０，２１間に配されて電界印加に伴って光学特性が変化する物質である液晶分子を含む液晶層（媒質層）２２を有している。液晶層２２は、両基板２０，２１間に介在する図示しないシール部によって取り囲まれることで封止が図られている。アレイ基板２１の内面側には、画素電極２４よりも上層側に位置する共通電極２５が設けられている。共通電極２５は、常にほぼ一定の基準電位が供給されるものであり、表示領域ＡＡのほぼ全域にわたって概ねベタ状に延在しており、全ての画素電極２４と平面に視て重畳するよう配されている。共通電極２５のうち、各画素電極２４と重畳する部分には、図示しないスリットが開口形成されている。画素電極２４が充電されると、画素電極２４と共通電極２５との間に電位差が生じる。すると、共通電極２５におけるスリットの開口縁と画素電極２４との間には、アレイ基板２１の板面に沿う成分に加えて、アレイ基板２１の板面に対する法線方向の成分を含むフリンジ電界（斜め電界）が生じるので、そのフリンジ電界を利用して液晶層２２に含まれる液晶分子の配向状態を制御することができる。つまり、本実施形態に係る液晶パネル１１は、動作モードがＦＦＳ（Fringe Field Switching）モードとされている。なお、両基板２０，２１のうち液晶層２２に接する最内面には、液晶層２２に含まれる液晶分子を配向させるための配向膜（図示せず）がそれぞれ形成されている。
【００１９】
ここで、アレイ基板２１の内面側に積層形成された各種の膜について説明する。アレイ基板２１には、図４に示すように、下層側（ガラス基板側）から順に第１金属膜３２、ゲート絶縁膜３３、半導体膜３４、第１透明電極膜（導電膜、透明電極膜）３５、第２金属膜（導電膜、金属膜）３６、層間絶縁膜（絶縁膜、透明電極膜間絶縁膜）３７、第２透明電極膜３８が積層形成されている。第１金属膜３２及び第２金属膜３６は、それぞれ銅、チタン、アルミニウム、モリブデン、タングステンなどの中から選択される１種類の金属材料からなる単層膜または異なる種類の金属材料からなる積層膜や合金とされることで導電性及び遮光性を有している。第１金属膜３２は、ゲート配線２６やＴＦＴ２３のゲート電極２３Ａなどを構成する。第２金属膜３６は、ソース配線２７及びタッチ配線３１やＴＦＴ２３のソース電極２３Ｂ及びドレイン電極２３Ｃなどを構成する。ゲート絶縁膜３３及び層間絶縁膜３７は、それぞれ窒化ケイ素（ＳｉＮｘ）、酸化ケイ素（ＳｉＯ２）等の無機材料からなる。ゲート絶縁膜３３は、下層側の第１金属膜３２と、上層側の半導体膜３４、第１透明電極膜３５及び第２金属膜３６と、を絶縁状態に保つ。層間絶縁膜３７は、下層側の半導体膜３４、第１透明電極膜３５及び第２金属膜３６と、上層側の第２透明電極膜３８と、を絶縁状態に保つ。半導体膜３４は、材料として例えば酸化物半導体、アモルファスシリコン等を用いた薄膜からなり、ＴＦＴ２３のチャネル部２３Ｄなどを構成する。第１透明電極膜３５及び第２透明電極膜３８は、透明電極材料（例えばＩＴＯ（Indium Tin Oxide）やＩＺＯ（Indium Zinc Oxide）など）からなる。第１透明電極膜３５は、画素電極２４などを構成する。第２透明電極膜３８は、共通電極２５などを構成する。なお、図４には、画素電極２４のうち、ドレイン電極２３Ｃとのコンタクト部分のみが図示されている。
【００２０】
本実施形態に係る液晶パネル１１は、画像を表示する表示機能と、表示される画像に基づいて使用者が入力する位置（入力位置）を検出するタッチパネル機能（位置入力機能）と、を併有しており、このうちのタッチパネル機能を発揮するためのタッチパネルパターンを一体化（インセル化）している。このタッチパネルパターンは、いわゆる投影型静電容量方式とされており、その検出方式が自己容量方式とされる。タッチパネルパターンは、図５に示すように、一対の基板２０，２１のうちのアレイ基板２１側に設けられており、アレイ基板２１の板面内にマトリクス状に並んで配される複数のタッチ電極（位置検出電極）３０から構成されている。タッチ電極３０は、アレイ基板２１の表示領域ＡＡに配されている。従って、液晶パネル１１における表示領域ＡＡは、入力位置を検出可能なタッチ領域（位置入力領域）とほぼ一致しており、非表示領域ＮＡＡが入力位置を検出不能な非タッチ領域（非位置入力領域）とほぼ一致していることになる。そして、使用者が視認する液晶パネル１１の表示領域ＡＡの画像に基づいて位置入力をしようとして液晶パネル１１の表面（表示面）に導電体である図示しない指（位置入力体）を近づけると、その指とタッチ電極３０との間で静電容量が形成されることになる。これにより、指の近くにあるタッチ電極３０にて検出される静電容量には指が近づくのに伴って変化が生じ、指から遠くにあるタッチ電極３０とは異なるものとなるので、それに基づいて入力位置を検出することが可能となる。
【００２１】
そして、このタッチ電極３０は、図５に示すように、アレイ基板２１に設けられた共通電極２５により構成されている。共通電極２５は、既述したスリットに加えて、隣り合うタッチ電極３０の間を仕切る仕切開口部（仕切スリット）２５Ａを有する。仕切開口部２５Ａは、Ｘ軸方向に沿って共通電極２５の全長にわたって横断する部分と、Ｙ軸方向に沿って共通電極２５の全長にわたって縦断する部分と、からなり、全体としては平面に視て略格子状をなしている。共通電極２５は、仕切開口部２５Ａによって平面に視て碁盤目状に分割されて相互が電気的に独立した複数のタッチ電極３０からなる。共通電極２５を仕切開口部２５Ａによって仕切られてなるタッチ電極３０は、表示領域ＡＡにおいてＸ軸方向及びＹ軸方向に沿って複数ずつがマトリクス状に並んで配されている。タッチ電極３０は、平面に視て略方形状をなしており、一辺の寸法が数ｍｍ（例えば約５ｍｍ）程度とされている。従って、タッチ電極３０は、平面に視た大きさが画素部ＰＸ（画素電極２４）よりも遙かに大きくなっており、Ｘ軸方向及びＹ軸方向について複数（例えば数十または数百程度）ずつの画素部ＰＸに跨る範囲に配置されている。複数のタッチ電極３０には、アレイ基板２１に設けられた複数のタッチ配線（位置検出配線）３１が選択的に接続されている。タッチ配線３１は、ソース配線２７と同層で且つ同一材料（第２金属膜３６）からなるとともにソース配線２７に並行する形でＹ軸方向に沿って延在しており、Ｙ軸方向に沿って並ぶ複数のタッチ電極３０のうちの特定のタッチ電極３０に対して選択的に接続されている。さらにタッチ配線３１は、図示しない検出回路と接続されている。検出回路は、ドライバ１２に備えられていても構わないが、フレキシブル基板１３を介して液晶パネル１１の外部に備えられていても構わない。タッチ配線３１は、表示機能に係る基準電位信号（信号）と、タッチ機能に係るタッチ信号（位置検出信号、信号）と、を異なるタイミングでもってタッチ電極３０に供給する。このうちの基準電位信号は、同じタイミングで全てのタッチ配線３１に伝送されることで、全てのタッチ電極３０が基準電位となって共通電極２５として機能する。なお、図５から図７は、タッチ電極３０の配列を模式的に表したものであり、タッチ電極３０の具体的な設置数、配置、平面形状などについては図示以外にも適宜に変更可能である。
【００２２】
続いて、液晶パネル１１の各領域Ａ１，Ａ２によって異なるタッチ電極３０及びタッチ配線３１の構成に関して詳しく説明し、併せてソース配線２７に関しても説明する。タッチ電極３０には、図５に示すように、第１領域Ａ１に配される第１タッチ電極（第１位置検出電極）３０Ａと、第２領域Ａ２に配される第２タッチ電極（第２位置検出電極）３０Ｂと、が含まれている。第１タッチ電極３０Ａは、第１領域Ａ１においてマトリクス状に複数ずつほぼ等間隔となるよう並んで配されるとともに、第１領域Ａ１での配置に拘わらず全ての平面形状が方形とされる。具体的には、第１タッチ電極３０Ａは、第１領域Ａ１においてＸ軸方向に沿って例えば１５個ずつ、Ｙ軸方向に沿って例えば６０個ずつ、合計で例えば９００個が並んでいる。第２タッチ電極３０Ｂは、第２領域Ａ２においてマトリクス状に複数ずつほぼ等間隔となるよう並んで配されるとともに、第２領域Ａ２での配置に応じて平面形状が変化している。第２タッチ電極３０Ｂのうち、第２領域Ａ２における拡張外形部１１ＥＸ及び縮小外形部１１ＳＨに接するもの（外端に位置するもの）は、拡張外形部１１ＥＸ及び縮小外形部１１ＳＨに倣う曲線状部分を有していて平面形状が異形（非矩形）とされる。一方、第２タッチ電極３０Ｂのうち、第２領域Ａ２における拡張外形部１１ＥＸ及び縮小外形部１１ＳＨとは接しないものは、第１タッチ電極３０Ａと同様に平面形状が方形とされる。異形の第２タッチ電極３０Ｂは、方形の第２タッチ電極３０Ｂに比べて面積が小さくなっている。ここで、第２タッチ電極３０Ｂが配される第２領域Ａ２は、第１領域Ａ１に対してＸ軸方向について端側に位置していて拡張外形部１１ＥＸを有しているため、第２タッチ電極３０Ｂは、第１領域Ａ１に配される第１タッチ電極３０Ａに比べると、ドライバ１２からの距離が大きくなる傾向にある。また、第２タッチ電極３０Ｂは、第２領域Ａ２においてＸ軸方向に沿って最大で例えば７個、最小で例えば１個、Ｙ軸方向に沿って最大で例えば６０個、最小で例えば２３個、合計で例えば２９３個が並んでいる。
【００２３】
タッチ配線３１には、図５に示すように、表示領域ＡＡの第１領域Ａ１に配されて第１タッチ電極３０Ａに接続される第１領域用タッチ配線（第１領域用配線）３１Ａと、表示領域ＡＡの第２領域Ａ２に配されて第２タッチ電極３０Ｂに接続される第２領域用タッチ配線（第２の配線、第２領域用配線）３１Ｂと、表示領域ＡＡの第１領域Ａ１に配されて第１タッチ電極３０Ａには非接続とされるスルータッチ配線（配線）３１Ｃと、が含まれる。共に第２金属膜３６からなる第１領域用タッチ配線３１Ａ及び第２領域用タッチ配線３１Ｂは、その上層側に配された層間絶縁膜３７（図４を参照）に開口形成されたコンタクトホールＣＨを通して第２透明電極膜３８からなる第１タッチ電極３０Ａ及び第２タッチ電極３０Ｂに対してそれぞれ接続されている。なお、図５から図７では、コンタクトホールＣＨを黒丸により図示している。第１領域用タッチ配線３１Ａは、表示領域ＡＡの第１領域Ａ１において接続対象である第１タッチ電極３０Ａと同数またはそれよりも多く配されている。第２領域用タッチ配線３１Ｂは、表示領域ＡＡの第２領域Ａ２において接続対象である第２タッチ電極３０Ｂよりも多く配されている。スルータッチ配線３１Ｃは、表示領域ＡＡの第１領域Ａ１において接続対象である第２領域用タッチ配線３１Ｂと同数配されている。スルータッチ配線３１Ｃは、表示領域ＡＡの第１領域Ａ１にてＹ軸方向に沿って並ぶ全ての第１タッチ電極３０Ａを縦断するものの、いずれの第１タッチ電極３０Ａに対しても接続されることがなく、第１タッチ電極３０Ａとの間には層間絶縁膜３７（図４を参照）が介在している。
【００２４】
そして、アレイ基板２１の非表示領域ＮＡＡには、図５に示すように、ドライバ１２とスルータッチ配線３１Ｃにおけるドライバ１２側の端部とを接続する第１タッチ引き出し配線（第１引き出し配線）４０と、スルータッチ配線３１Ｃにおけるドライバ１２側とは反対側の端部と第２領域用タッチ配線３１Ｂにおけるドライバ１２側とは反対側の端部とを接続する第２タッチ引き出し配線（第２引き出し配線）４１と、が設けられている。第１タッチ引き出し配線４０は、ドライバ１２の実装領域から表示領域ＡＡの第１領域Ａ１へ向けて扇状に広がる形で引き回されている。第２タッチ引き出し配線４１は、表示領域ＡＡの第１領域Ａ１から第２領域Ａ２へ向けて折り返し状に引き回されており、その配索経路が第１領域Ａ１及び第２領域Ａ２の外形に並行している。第２タッチ引き出し配線４１は、第２タッチ電極３０Ｂに対して第２領域用タッチ配線３１Ｂを介して接続されている、と言える。第１タッチ引き出し配線４０及び第２タッチ引き出し配線４１は、接続対象であるスルータッチ配線３１Ｃ及び第２領域用タッチ配線３１Ｂと同数ずつ配されている。
【００２５】
一方、アレイ基板２１の非表示領域ＮＡＡには、図５に示すように、ドライバ１２と第１領域用タッチ配線３１Ａにおけるドライバ１２側の端部とを接続する第１領域用タッチ引き出し配線（第１領域用引き出し配線）４２が設けられている。第１領域用タッチ引き出し配線４２は、ドライバ１２の実装領域から表示領域ＡＡの第１領域Ａ１へ向けて扇状に広がる形で引き回されている。第１領域用タッチ引き出し配線４２は、第１タッチ引き出し配線４０に並行している。ドライバ１２から出力されるタッチ信号や基準電位信号は、第１領域用タッチ引き出し配線４２及び第１領域用タッチ配線３１Ａを介して第１領域Ａ１に配される第１タッチ電極３０Ａに入力される。これにより、第１領域Ａ１に配された第１タッチ電極３０Ａを機能させることができる。
【００２６】
さらには、アレイ基板２１の非表示領域ＮＡＡには、図７に示すように、ドライバ１２とソース配線２７におけるドライバ１２側の端部とを接続するソース引き出し配線（表示引き出し配線）４３が設けられている。なお、図７では、区別のため、ソース引き出し配線４３を、第１タッチ引き出し配線４０及び第１領域用タッチ引き出し配線４２よりも太い実線にて図示している。ソース引き出し配線４３は、ドライバ１２の実装領域から表示領域ＡＡの第１領域Ａ１及び第２領域Ａ２へ向けて扇状に広がる形で引き回されている。ソース引き出し配線４３のうち、表示領域ＡＡの第１領域Ａ１に配されたソース配線２７に接続されるものは、第１タッチ引き出し配線４０及び第１領域用タッチ引き出し配線４２に並行している。ソース引き出し配線４３のうち、表示領域ＡＡの第２領域Ａ２に配されたソース配線２７に接続されるものは、第１領域Ａ１に配されたソース配線２７に接続されるものに概ね並行している。表示領域ＡＡのうち、第２領域Ａ２は、拡張外形部１１ＥＸに並行する外形を有するとともに第１領域Ａ１に対してＸ軸方向について端に位置しているため、第１領域Ａ１に比べると、ドライバ１２からの距離が大きくなっている。このため、表示領域ＡＡの第２領域Ａ２に配されたソース配線２７に接続されるソース引き出し配線４３は、表示領域ＡＡの第１領域Ａ１に配されたソース配線２７に接続されるソース引き出し配線４３に比べると、ドライバ１２からソース配線２７に至るまでの延面距離が大きくなっている。
【００２７】
ここで、上記した各引き出し配線４０〜４３のうち、第１タッチ引き出し配線４０、第１領域用タッチ引き出し配線４２及びソース引き出し配線４３は、図５から図７に示すように、表示領域ＡＡに対してＹ軸方向についてドライバ１２側に配されている。これに対し、第２タッチ引き出し配線４１は、表示領域ＡＡに対してＹ軸方向についてドライバ１２側とは反対側に配されている。詳細には、表示領域ＡＡの第１領域Ａ１に対してドライバ１２側の領域には、第１タッチ引き出し配線４０、第１領域用タッチ引き出し配線４２及びソース引き出し配線４３が配されているものの、表示領域ＡＡの第２領域Ａ２に対してドライバ１２側の領域には、ソース引き出し配線４３のみが配されていてその配線密度が、第１タッチ引き出し配線４０、第１領域用タッチ引き出し配線４２及びソース引き出し配線４３の配線密度よりも低くなっている。そして、表示領域ＡＡの第１領域Ａ１及び第２領域Ａ２に対してドライバ１２側とは反対側の領域には、第２タッチ引き出し配線４１のみが配されていてその配線密度が、第１タッチ引き出し配線４０、第１領域用タッチ引き出し配線４２及びソース引き出し配線４３の配線密度よりも低くなっている。ここで、仮に第２領域用タッチ配線３１Ｂにおけるドライバ１２側の端部とドライバ１２とを接続する引き出し配線を設けるようにした場合には、表示領域ＡＡの第２領域Ａ２に対してドライバ１２側の領域には、ソース引き出し配線４３に加えて上記した引き出し配線が配されることになるため、配線密度が高くなる。しかも、上記した引き出し配線は、ドライバ１２から第２領域Ａ２に至るまでの延面距離が第２領域Ａ２の拡張外形部１１ＥＸに起因して長くなりがちとされる。このように、第２タッチ電極３０Ｂに接続された第２領域用タッチ配線３１Ｂをドライバ１２に対して直接接続する引き出し配線は、延面距離が過大となり且つ線幅が過小となる傾向にあるため、断線の発生が懸念される。その点、本実施形態によれば、第２領域Ａ２に配される第２タッチ電極３０Ｂには、第１領域Ａ１に配されるスルータッチ配線３１Ｃと、そのスルータッチ配線３１Ｃにおけるドライバ１２側の端部に接続される第１タッチ引き出し配線４０と、スルータッチ配線３１Ｃにおけるドライバ１２側とは反対側の端部に接続される第２タッチ引き出し配線４１と、第２領域Ａ２に配される第２領域用タッチ配線３１Ｂと、を介してタッチ信号や基準電位信号が供給されているので、第２タッチ電極３０Ｂに接続された第２領域用タッチ配線３１Ｂをドライバ１２に対して直接接続する引き出し配線が不要になる。第２タッチ引き出し配線４１は、ドライバ１２から第２領域Ａ２に至るまでの領域に配されることがないので、配線密度の過密化が避けられている。これにより、第２タッチ引き出し配線４１の線幅を十分に広く確保することができ、また、フレキシブル基板１３から第２領域Ａ２に至るまでの領域に配されるソース引き出し配線４３の線幅を過剰に細くする必要も生じず、もってこれらの配線４１，４３の断線の発生が抑制される。
【００２８】
第２領域Ａ２に配されてＹ軸方向に沿って並ぶ複数の第２タッチ電極３０Ｂは、図６に示すように、ドライバ１２からの距離が小さくなるほど第２領域用タッチ配線３１Ｂの接続数が多くなっている。具体的には、本実施形態では、Ｙ軸方向に沿って並ぶ複数の第２タッチ電極３０Ｂは、Ｙ軸方向についての位置に応じて例えば３つのグループに分けられている。最もドライバ１２から遠いグループに属する第２タッチ電極３０Ｂは、第２領域用タッチ配線３１Ｂの接続数が１つとされ、ドライバ１２から２番目に遠い（近い）グループに属する第２タッチ電極３０Ｂは、第２領域用タッチ配線３１Ｂの接続数が２つとされ、最もドライバ１２から近いグループに属する第２タッチ電極３０Ｂは、第２領域用タッチ配線３１Ｂの接続数が３つとされる。ここで、ドライバ１２から第２領域Ａ２に配された第２タッチ電極３０Ｂまでの距離が小さくなるほど、第１タッチ引き出し配線４０、スルータッチ配線３１Ｃ、第２タッチ引き出し配線４１及び第２領域用タッチ配線３１Ｂを経由して第２領域Ａ２に配される第２タッチ電極３０Ｂに供給される各信号の供給経路長が長くなって配線抵抗が高くなる傾向とされる。その点、上記のように第２領域Ａ２にてＹ軸方向に沿って並ぶ複数の第２タッチ電極３０Ｂのうち、ドライバ１２からの距離が小さい第２タッチ電極３０Ｂほど第２領域用タッチ配線３１Ｂの接続数が多くなっているので、各信号の供給経路長が長くなっても配線抵抗が低減される。これにより、第２タッチ電極３０Ｂに供給される信号に鈍りが生じ難くなる。
【００２９】
また、第１領域用タッチ配線３１Ａ及びスルータッチ配線３１Ｃは、図２に示すように、第１領域Ａ１において互いに並行するよう延在していてソース配線２７及び画素電極２４に対する位置関係が互いに同じとされる。このようにすれば、第１領域用タッチ配線３１Ａと第１領域Ａ１に配されるソース配線２７または画素電極２４との間に生じる寄生容量が、スルータッチ配線３１Ｃと第１領域Ａ１に配されるソース配線２７または画素電極２４との間に生じる寄生容量と同等になる。これにより、寄生容量に起因する位置検出感度の低下及び表示品位の低下を抑制することができる。
【００３０】
また、第２領域Ａ２は、図５に示すように、拡張外形部１１ＥＸに加えてドライバ１２からの距離が大きくなるのに従って幅が縮小される縮小外形部１１ＳＨを有する。このため、仮に第２領域Ａ２が縮小外形部１１ＳＨを有さず、拡張外形部１１ＥＸ以外の部分における幅がドライバ１２からの距離に拘わらず一定とされる場合に比べると、スルータッチ配線３１Ｃと第２タッチ電極３０Ｂに接続された第２領域用タッチ配線３１Ｂとを接続する第２タッチ引き出し配線４１の延面距離が大きくなる。しかしながら、第２タッチ引き出し配線４１は、ドライバ１２から第２領域Ａ２に至るまでの領域に配されることがないので配線密度が過密化することが避けられている。これにより、第２タッチ引き出し配線４１の線幅を十分に広く確保することができ、また、フレキシブル基板１３から第２領域Ａ２に至るまでの領域に配されるソース引き出し配線４３の線幅を過剰に細くする必要も生じず、もってこれらの配線４１，４３の断線の発生が抑制される。
【００３１】
また、スルータッチ配線３１Ｃ及びソース配線２７は、図２及び図４に示すように、互いに並行するよう延在していて同じ層に配されている。このようにすれば、仮にスルータッチ配線をソース配線２７とは異なる層に配した場合に比べると、製造コストを低減する上で好適となる。また、スルータッチ配線３１Ｃがソース配線２７に並行しているので、同層に配されていても交差することが避けられ、もって短絡の発生が防がれている。
【００３２】
また、スルータッチ配線３１Ｃ、第１タッチ引き出し配線４０及び第２タッチ引き出し配線４１は、いずれも同じ第２金属膜３６からなり、互いに同じ層に配されている。このようにすれば、仮にスルータッチ配線と両引き出し配線とを異なる層に配した場合には、間に介在させる絶縁膜にコンタクトホールを開口形成する必要があるものの、そのようなコンタクトホールを設ける必要がなくなる。これにより、接続信頼性が高くなる。
【００３３】
また、ソース配線２７及びソース引き出し配線４３は、いずれも同じ第２金属膜３６からなり、互いに同じ層に配されている。このようにすれば、仮にソース配線とソース引き出し配線とを異なる層に配した場合には、間に介在させる絶縁膜にコンタクトホールを開口形成する必要があるものの、そのようなコンタクトホールを設ける必要がなくなる。これにより、接続信頼性が高くなる。
【００３４】
以上説明したように本実施形態の液晶表示装置（表示装置）１０は、信号を供給するドライバ（信号供給部）１２と、ドライバ１２からの距離が大きくなるのに従って幅が拡張される拡張外形部１１ＥＸを有するアレイ基板（基板）２１であって、第１領域Ａ１と、第１領域Ａ１に対して端側に位置していて拡張外形部１１ＥＸを有する第２領域Ａ２と、を含むアレイ基板２１と、アレイ基板２１において第１領域Ａ１と第２領域Ａ２とに跨るよう配されて画像を表示する表示領域ＡＡと、表示領域ＡＡに配されて表示のための信号を伝送するソース配線（表示配線）２７と、第１領域Ａ１に配されて信号を伝送するスルータッチ配線（配線）３１Ｃと、第２領域Ａ２に配される被信号供給部である第２タッチ電極（位置検出電極）３０Ｂと、ドライバ１２とソース配線２７におけるドライバ１２側の端部とに接続されるソース引き出し配線（表示引き出し配線）４３と、ドライバ１２とスルータッチ配線３１Ｃにおけるドライバ１２側の端部とに接続される第１タッチ引き出し配線（第１引き出し配線）４０と、スルータッチ配線３１Ｃにおけるドライバ１２側とは反対側の端部と被信号供給部である第２タッチ電極３０Ｂとに接続される第２タッチ引き出し配線（第２引き出し配線）４１と、を備える。
【００３５】
このようにすれば、表示領域ＡＡには、ソース配線２７によって伝送される表示のための信号に基づいて画像が表示される。ここで、アレイ基板２１に含まれる第２領域Ａ２は、第１領域Ａ１に対して端側に位置していて拡張外形部１１ＥＸを有しているため、第２領域Ａ２に配される被信号供給部である第２タッチ電極３０Ｂは、第１領域Ａ１に配されるものに比べると、ドライバ１２からの距離が大きくなる傾向にある。このため、仮に被信号供給部である第２タッチ電極３０Ｂをドライバ１２に対して直接接続する引き出し配線を設けると、その延面距離が大きくなり過ぎるおそれがある。その上、ドライバ１２から第２領域Ａ２に配される被信号供給部である第２タッチ電極３０Ｂに至るまでの領域には、第２領域Ａ２に配されたソース配線２７に接続されるソース引き出し配線４３が配されているため、仮に上記した被信号供給部である第２タッチ電極３０Ｂをドライバ１２に対して直接接続する引き出し配線を設けると、配線密度が過剰に高くなり、同引き出し配線の線幅が狭くなりがちとされる。このように、被信号供給部である第２タッチ電極３０Ｂをドライバ１２に対して直接接続する引き出し配線は、延面距離が過大となり且つ線幅が過小となる傾向にあるため、断線の発生が懸念される。
【００３６】
これに対し、第２領域Ａ２に配される被信号供給部である第２タッチ電極３０Ｂには、第１領域Ａ１に配されるスルータッチ配線３１Ｃと、そのスルータッチ配線３１Ｃにおけるドライバ１２側の端部に接続される第１タッチ引き出し配線４０と、スルータッチ配線３１Ｃにおけるドライバ１２側とは反対側の端部に接続される第２タッチ引き出し配線４１と、を介して信号が供給されているので、被信号供給部である第２タッチ電極３０Ｂをドライバ１２に対して直接接続する引き出し配線が不要になる。第２タッチ引き出し配線４１は、ドライバ１２から第２領域Ａ２に至るまでの領域に配されることがないので、少なくとも配線密度の過密化が避けられている。これにより、第２タッチ引き出し配線４１の線幅を十分に広く確保することができ、また、フレキシブル基板１３から第２領域Ａ２に至るまでの領域に配されるソース引き出し配線４３の線幅を過剰に細くする必要も生じず、もってこれらの配線４１，４３の断線の発生が抑制される。
【００３７】
＜実施形態２＞
本発明の実施形態２を図８によって説明する。この実施形態２では、第２領域用タッチ配線１３１Ｂの一部に第２タッチ引き出し配線１４１とは非接続とされるものが含まれる場合を示す。なお、上記した実施形態１と同様の構造、作用及び効果について重複する説明は省略する。
【００３８】
第２領域用タッチ配線１３１Ｂには、図８に示すように、第２タッチ引き出し配線１４１に接続されるものと、第２タッチ引き出し配線１４１には接続されないものと、が含まれている。以下では第２領域用タッチ配線１３１Ｂを区別する場合には、第２タッチ引き出し配線１４１に接続されるものを「第２領域用第１タッチ配線」としてその符号に添え字「１」を、第２タッチ引き出し配線１４１には接続されないものを「第２領域用第２タッチ配線」としてその符号に添え字「２」を付し、区別せずに総称する場合には、符号に添え字を付さないものとする。第２領域用第１タッチ配線１３１Ｂ１は、上記した実施形態１に記載された第２領域用タッチ配線３１Ｂと同様に、ドライバ１１２側とは反対側の端部が第２タッチ引き出し配線１４１に接続されている。これに対し、第２領域用第２タッチ配線（第３の配線）１３１Ｂ２は、ドライバ１１２側の端部が、アレイ基板１２１の非表示領域ＮＡＡに配された第３タッチ引き出し配線４４に接続されている。第３タッチ引き出し配線４４は、一端側が第２領域用第２タッチ配線１３１Ｂ２に、他端側がドライバ１１２に、それぞれ接続されている。第３タッチ引き出し配線４４は、第１タッチ引き出し配線１４０及び第１領域用タッチ引き出し配線１４２に概ね並行する形で引き回されている。このように、第２領域用第２タッチ配線１３１Ｂ２は、ドライバ１１２側の端部が第３タッチ引き出し配線４４によりドライバ１１２に接続されているので、ドライバ１１２からの各信号が第３タッチ引き出し配線４４を経由して供給される。これにより、第２領域Ａ２に配されて第２領域用第１タッチ配線１３１Ｂ１に接続された第２タッチ電極１３０Ｂよりも、第２領域Ａ２に配されて第２領域用第２タッチ配線１３１Ｂ２に接続された第２タッチ電極１３０Ｂの方が、供給される各信号の供給経路長が短くなり、もって配線抵抗の低減が図られる。
【００３９】
第２領域Ａ２においてＹ軸方向に沿って並んで配される複数の第２タッチ電極１３０Ｂのうち、ドライバ１１２から遠くに配されるものが、第２領域用第１タッチ配線１３１Ｂ１に、ドライバ１１２の近くに配されるものが第２領域用第２タッチ配線１３１Ｂ２に、それぞれ接続されている。つまり、第２領域用第２タッチ配線１３１Ｂ２に接続された第２タッチ電極１３０Ｂは、第２領域用第１タッチ配線１３１Ｂ１に接続された第２タッチ電極１３０Ｂよりもドライバ１１２の近くに配されている。ここで、ドライバ１１２から第２領域Ａ２に配される第２タッチ電極１３０Ｂまでの距離が小さくなるほど、第１タッチ引き出し配線１４０、スルータッチ配線１３１Ｃ、第２タッチ引き出し配線１４１及び第２領域用第１タッチ配線１３１Ｂ１を経由して第２領域Ａ２に配される第２タッチ電極１３０Ｂに供給される信号の供給経路長が長くなって配線抵抗が高くなる傾向とされる。その点、第２領域Ａ２において第２領域用第１タッチ配線１３１Ｂ１に接続された第２タッチ電極１３０Ｂよりもドライバ１１２の近くに配される第２タッチ電極１３０Ｂには、第２領域用第２タッチ配線１３１Ｂ２及び第３タッチ引き出し配線４４を介して信号が供給されるので、配線抵抗の低減がより効率的に図られる。
【００４０】
＜実施形態３＞
本発明の実施形態３を図９または図１０によって説明する。この実施形態３では、上記した実施形態１から液晶パネル２１１の外形を変更したものを示す。なお、上記した実施形態１と同様の構造、作用及び効果について重複する説明は省略する。
【００４１】
本実施形態に係る液晶パネル２１１は、図９に示すように、第２領域Ａ２が拡張外形部２１１ＥＸを有するものの、上記した実施形態１に記載されたような縮小外形部１１ＳＨ（図１を参照）を有さない外形とされる。具体的には、液晶パネル２１１は、第２領域Ａ２がドライバ２１２からの距離に拘わらず幅が一定とされる一定外形部１１ＦＸを有する外形とされる。第２領域Ａ２は、外形における長辺部のうち、Ｙ軸方向についてドライバ２１２に近い部分が拡張外形部２１１ＥＸとされるのに対し、Ｙ軸方向についてドライバ２１２から遠い部分が一定外形部１１ＦＸとされる。このような構成によれば、上記した実施形態１のように第２領域Ａ２が縮小外形部１１ＳＨを有する場合に比べると、図１０に示すように、スルータッチ配線２３１Ｃと第２タッチ電極２３０Ｂとを接続する第２タッチ引き出し配線２４１の延面距離が小さくなる。これにより、断線の発生がより好適に抑制される。
【００４２】
＜実施形態４＞
本発明の実施形態４を図１１または図１２によって説明する。この実施形態４では、上記した実施形態３から第２領域Ａ２の数及び外形を変更したものを示す。なお、上記した実施形態３と同様の構造、作用及び効果について重複する説明は省略する。
【００４３】
本実施形態に係る液晶パネル３１１及びそのアレイ基板３２１は、図１１に示すように、第１領域Ａ１と、それぞれが拡張外形部３１１ＥＸを有する一対の第２領域Ａ２と、を含んでいる。一対の第２領域Ａ２は、Ｘ軸方向について中央側の第１領域Ａ１を挟み込むよう両端に位置して配されている。一対の第２領域Ａ２は、外形における長辺部のうち、Ｙ軸方向についてドライバ３１２から最も遠い部分と最も近い部分とがそれぞれ一定幅外形部３１１ＦＸとされるのに対し、両一定幅外形部３１１ＦＸの間に挟まれた部分が拡張外形部３１１ＥＸとされる。各第２領域Ａ２においてＹ軸方向についてドライバ３１２に近い一定幅外形部３１１ＦＸは、ドライバ３１２から遠い一定幅外形部３１１ＦＸよりも幅狭とされる。各第２領域Ａ２における拡張外形部３１１ＥＸは、途中で屈曲されており、その屈曲点を境界にして、ドライバ３１２から遠い部分が平面に視て緩やかな曲線状をなす曲線状部３１１ＥＸ１とされるのに対し、ドライバ３１２に近い部分が平面に視て直線状をなす直線状部３１１ＥＸ２とされる。曲線状部３１１ＥＸ１は、幅の変化率がドライバ３１２から遠ざかるのに従って徐々に低下している。これに対し、直線状部３１１ＥＸ２は、幅の変化率がほぼ一定とされていて、曲線状部３１１ＥＸ１における幅の変化率の最大値よりも高くなっている。ゲート回路部ＧＤＭは、一対の第２領域Ａ２にそれぞれ設けられており、表示領域ＡＡをＸ軸方向について両側から挟み込んでいる。各ゲート回路部ＧＤＭは、Ｙ軸方向についてドライバ３１２から遠い一定幅外形部３１１ＦＸと、拡張外形部３１１ＥＸにおける曲線状部３１１ＥＸ１と、に跨る範囲に形成されており、一定幅外形部３１１ＦＸ及び曲線状部３１１ＥＸ１に並行する形で延在している。つまり、ゲート回路部ＧＤＭのうち、一定幅外形部３１１ＦＸと曲線状部３１１ＥＸ１との境界位置にて屈曲されている。
【００４４】
表示領域ＡＡにおける一対の第２領域Ａ２には、図１２に示すように、第２タッチ電極３３０Ｂ及び第２領域用タッチ配線３３１Ｂがそれぞれ複数ずつ設けられている。各第２領域Ａ２に配された各第２領域用タッチ配線３３１Ｂにおけるドライバ３１２側とは反対側の端部に接続された各第２タッチ引き出し配線３４１は、第１領域Ａ１に配された各スルータッチ配線３３１Ｃにおけるドライバ３１２側とは反対側の端部に接続されている。第１領域Ａ１におけるＸ軸方向についての中央側に配されるスルータッチ配線３３１Ｃは、各第２領域Ａ２におけるＸ軸方向についての端側に配される第２タッチ電極３３０Ｂに接続された第２領域用タッチ配線３３１Ｂに対して第２タッチ引き出し配線３４１により接続されている。これに対し、第１領域Ａ１におけるＸ軸方向についての両端側に配されるスルータッチ配線３３１Ｃは、各第２領域Ａ２におけるＸ軸方向についての中央側に配される第２タッチ電極３３０Ｂに接続された第２領域用タッチ配線３３１Ｂに対して第２タッチ引き出し配線３４１により接続されている。このように、第２タッチ引き出し配線３４１は、図１２に示す左右対称になるよう配されている。
【００４５】
＜実施形態５＞
本発明の実施形態５を図１３によって説明する。この実施形態５では、上記した実施形態４からゲート回路部ＧＤＭの接続態様を変更したものを示す。なお、上記した実施形態４と同様の構造、作用及び効果について重複する説明は省略する。
【００４６】
本実施形態に係るアレイ基板４２１には、図１３に示すように、フレキシブル基板（信号供給部）４１３の実装領域から各ゲート回路部（表示回路部）ＧＤＭに信号を供給するため、スルーゲート回路接続配線（配線）４５、第１ゲート回路引き出し配線（第１引き出し配線）４６及び第２ゲート回路引き出し配線（第２引き出し配線）４７が一対ずつ設けられている。スルーゲート回路接続配線４５は、スルー配線（図示せず）と同様に、表示領域ＡＡの第１領域Ａ１にてＹ軸方向に沿って延在していて全ての第１タッチ電極（図示せず）を縦断するものの、いずれの第１タッチ電極に対しても接続されることがない。第１ゲート回路引き出し配線４６は、フレキシブル基板４１３の実装領域からドライバ４１２が実装されている領域を経由して、表示領域ＡＡの第１領域Ａ１に至るまで引き回されており、スルーゲート回路接続配線４５におけるフレキシブル基板４１３側の端部に接続されている。ここで、第１ゲート回路引き出し配線４６が、ドライバ４１２の実装される部分を経由する部分としては、ソース引き出し配線（図示せず）へ信号を供給するための端子部が形成されていない領域であることが好ましい。第２ゲート回路引き出し配線４７は、スルーゲート回路接続配線４５におけるフレキシブル基板４１３側とは反対側の端部と、ゲート回路部ＧＤＭにおけるフレキシブル基板４１３側とは反対側の端部と、にそれぞれ接続されている。第２ゲート回路引き出し配線４７は、接続対象であるゲート回路部ＧＤＭに対して直接的に接続されている、と言える。第２ゲート回路引き出し配線４７は、表示領域ＡＡの第１領域Ａ１から第２領域Ａ２へ向けて折り返し状に引き回されており、その配索経路が第１領域Ａ１及び第２領域Ａ２の外形に並行している。
【００４７】
このようにすれば、第２領域Ａ２に配されるゲート回路部ＧＤＭには、フレキシブル基板４１３から出力された信号が、第１ゲート回路引き出し配線４６、スルーゲート回路接続配線４５及び第２ゲート回路引き出し配線４７を介して供給されるので、ゲート回路部ＧＤＭからゲート配線（第２の表示配線）４２６に表示のための走査信号（信号）を供給することができる。従って、上記した実施形態１のようにゲート回路部ＧＤＭをフレキシブル基板４１３に対して直接接続するゲート回路接続配線３９（図１を参照）が不要になる。第２ゲート回路引き出し配線４７は、フレキシブル基板４１３から第２領域Ａ２に至るまでの領域に配されることがないので、配線密度の過密化が避けられている。これにより、第２ゲート回路引き出し配線４７の線幅を十分に広く確保することができ、また、フレキシブル基板４１３から第２領域Ａ２に至るまでの領域に配されるソース引き出し配線の線幅を過剰に細くする必要も生じず、もってこれらの配線４７の断線の発生が抑制される。
【００４８】
＜実施形態６＞
本発明の実施形態６を図１４または図１５によって説明する。この実施形態６では、上記した実施形態１から液晶パネル５１１を湾曲させたものを示す。なお、上記した実施形態１と同様の構造、作用及び効果について重複する説明は省略する。
【００４９】
本実施形態に係る液晶パネル５１１は、図１４及び図１５に示すように、自身の長辺方向（Ｙ軸方向）、つまりスルータッチ配線の延在方向についての中央部が裏側に引っ込み、長辺方向についての両端部が表側に出っ張るような形（内反り形状）で全体として略円弧状に湾曲している。液晶パネル５１１の湾曲軸ＣＡＸは、その軸線方向がＸ軸方向（スルータッチ配線３１Ｃの延在方向と直交する直交方向）と一致している。従って、液晶パネル５１１における湾曲方向（板面の曲率が変化する方向）は、長辺方向（Ｙ軸方向、スルータッチ配線の延在方向）と一致している。液晶パネル５１１の湾曲軸ＣＡＸは、Ｚ軸方向についてアレイ基板５２１側とは反対側であるＣＦ基板５２０側に配されている。つまり、ＣＦ基板５２０は、Ｚ軸方向についてアレイ基板５２１よりも湾曲軸ＣＡＸに近い配置とされる。従って、液晶パネル５１１を構成するアレイ基板５２１及びＣＦ基板５２０は、その板面が画素電極の短辺方向（図２を参照）に並行する湾曲軸ＣＡＸ周りに湾曲している、と言える。上記のようにアレイ基板５２１及びＣＦ基板５２０が湾曲軸ＣＡＸ周りに湾曲されると、ＣＦ基板５２０側のカラーフィルタとアレイ基板５２１側の画素電極との位置関係が湾曲方向についてばらつき得るものとされる。その点、アレイ基板５２１及びＣＦ基板５２０は、画素電極の短辺方向、つまり異なる色を呈する複数のカラーフィルタの並び方向（Ｘ軸方向、直交方向）に並行する湾曲軸ＣＡＸ周りに湾曲しているから、湾曲に伴ってカラーフィルタと画素電極との位置関係が湾曲方向についてばらついたとしても、湾曲方向には１色のカラーフィルタが延在していて同色を呈する画素部が多数並んでいるので、混色が生じ難いものとされる（図３を参照）。しかも、ドライバ５１２は、その長辺方向が湾曲軸ＣＡＸ（Ｘ軸方向、直交方向）に沿って並行するよう延在しているから、ドライバ５１２がアレイ基板５２１及びＣＦ基板５２０の湾曲に起因して変形し難く、また、液晶パネル５１１の湾曲に伴ってアレイ基板５２１に作用する応力が、ドライバ５１２及びフレキシブル基板５１３の影響を受け難くなってＹ軸方向について均等化され易くなる。なお、カラーフィルタ及び画素電極などの構成については、実施形態１にて説明した図２及び図３などに記載した通りである。
【００５０】
＜他の実施形態＞
本発明は上記記述及び図面によって説明した実施形態に限定されるものではなく、例えば次のような実施形態も本発明の技術的範囲に含まれる。
（１）上記した各実施形態以外にも、第２領域用タッチ配線の接続数が異なる第２タッチ電極のグループ数は、適宜に変更可能である。また、１つの第２タッチ電極に対する第２領域用タッチ配線の接続数についても適宜に変更可能である。
（２）上記した各実施形態では、第２領域用タッチ配線が第２領域において接続対象である第２タッチ電極よりも多く備わる構成を示したが、第２領域用タッチ配線が第２領域において接続対象である第２タッチ電極と同数備わる構成であっても構わない。
（３）上記した各実施形態では、第１領域用タッチ配線が第１領域において接続対象である第１タッチ電極と同数備わる構成を示したが、第１領域用タッチ配線が第１領域において接続対象である第１タッチ電極よりも多く備わる構成であっても構わない。その場合、ドライバから遠い第１タッチ電極に対する第１領域用タッチ配線の接続数を、ドライバに近い遠い第１タッチ電極に対する第１領域用タッチ配線の接続数よりも多くするのが好ましい。
（４）上記した各実施形態では、第１領域用タッチ配線及び第２領域用タッチ配線が接続対象となる第１タッチ電極及び第２タッチ電極に到達する長さでもって図示されているが、第１領域用タッチ配線及び第２領域用タッチ配線が接続対象となる第１タッチ電極及び第２タッチ電極を超えて、表示領域を全長にわたって縦断する長さでもって形成されていても構わない。
（５）上記した各実施形態以外にも、液晶パネル（アレイ基板）の第２領域における拡張外形部や縮小外形部の具体的な平面形状は適宜に変更可能である。
（６）上記した各実施形態では、液晶パネル（アレイ基板）の第１領域における平面形状が方形とされる場合を示したが、第１領域が異形（非矩形）であっても構わない。例えば、液晶パネル（アレイ基板）の平面形状が円形または楕円形とされる場合には、第１領域の外形には部分的に曲線状部分が含まれて全体として異形になる。
（７）上記した（６）以外にも、液晶パネル（アレイ基板）の平面形状は、半円形、半楕円形、台形、菱形、三角形、五角形以上の多角形などであっても構わない。
（８）上記した各実施形態では、タッチ配線がソース配線と同層に配される場合を示したが、タッチ配線がソース配線と絶縁膜を介して異なる層に配されても構わない。例えば、ソース配線を構成する第２金属膜の上層側に層間絶縁膜を介して第３金属膜を配置し、その第３金属膜によりタッチ配線を構成することが可能である。
（９）上記した各実施形態では、各タッチ引き出し配線がタッチ配線と同層に配される場合を示したが、各タッチ引き出し配線がタッチ配線と絶縁膜を介して異なる層に配されても構わない。例えば、タッチ配線を構成する第２金属膜の下層側にゲート絶縁膜を介して配置された第１金属膜により各タッチ引き出し配線を構成することが可能である。その場合は、ゲート絶縁膜に開口形成したコンタクトホールを通してタッチ配線と各タッチ引き出し配線とを接続すればよい。
（１０）上記した各実施形態では、ソース引き出し配線がソース配線と同層に配される場合を示したが、ソース引き出し配線がソース配線と絶縁膜を介して異なる層に配されても構わない。例えば、ソース配線を構成する第２金属膜の下層側にゲート絶縁膜を介して配置された第１金属膜によりソース引き出し配線を構成することが可能である。その場合は、ゲート絶縁膜に開口形成したコンタクトホールを通してソース配線とソース引き出し配線とを接続すればよい。
（１１）上記した各実施形態では、アレイ基板におけるフレキシブル基板の実装領域からゲート回路部に向けて信号を供給する構成を示したが、ドライバからゲート回路部に向けて信号を供給するようにしても構わない。
（１２）上記した実施形態１〜３，６では、第２領域及びゲート回路部が１つずつ備わる構成を示したが、第２領域が１つ備わるものの、ゲート回路部が一対備わる構成であっても構わない。
（１３）上記した実施形態４，５では、第２領域及びゲート回路部が一対ずつ備わる場合を示したが、第２領域が一対備わるものの、ゲート回路部が１つのみ備わる構成であっても構わない。
（１４）上記した実施形態５に記載した構成を、実施形態１〜３，６に記載した構成に適用することも可能である。
（１５）上記した実施形態６の変形例として、液晶パネルの湾曲軸がＺ軸方向についてアレイ基板側に配されていても構わない。つまり、アレイ基板は、Ｚ軸方向についてＣＦ基板よりも湾曲軸に近い配置とされていても構わない。
（１６）上記した各実施形態では、タッチパネル機能を内蔵したインセルタイプの液晶パネルを例示したが、タッチパネル機能を備えない液晶パネルであっても構わない。その場合は、例えば実施形態５に記載したように、ゲート回路部に信号を供給するための第１ゲート回路引き出し配線、スルーゲート回路接続配線及び第２ゲート回路引き出し配線を備えていればよい。
（１７）上記した各実施形態以外にも、液晶パネルの具体的な画面サイズは適宜に変更可能である。また、液晶パネルにおける画素部の具体的な配列ピッチについても適宜に変更可能である。
（１８）上記した各実施形態では、アレイ基板に１つのドライバが実装される場合を示したが、アレイ基板に複数のドライバを実装するようにしても構わない。
（１９）上記した各実施形態では、アレイ基板にゲート回路部が設けられた場合を示したが、ゲート回路部を省略し、アレイ基板にゲート回路部と同様の機能を有するゲートドライバを実装するようにしても構わない。
（２０）上記した各実施形態以外にも、アレイ基板に各配線の断線などを検査するための検査回路が設けられていても構わない。検査回路は、アレイ基板においてドライバの実装領域に配置されていてもよいが、ドライバとは非重畳の配置で且つ表示領域の近傍に配置することも可能である。
（２１）上記した各実施形態では、ＴＦＴのドレイン電極と画素電極とは、ゲート絶縁膜上に形成されるが、その積層順序は問わない。ＴＦＴのドレイン電極が画素電極の上層側であってもよいし、その逆であってもよい。
（２２）上記した各実施形態では、遮光部がＣＦ基板側に設けられた場合を示したが、遮光部がアレイ基板側に設けられていても構わない。
（２３）上記した各実施形態以外にも、ＴＦＴのチャネル部を構成する半導体膜は、ポリシリコンであっても構わない。その場合は、ＴＦＴをボトムゲート型とするのが好ましい。
（２４）上記した各実施形態では、タッチパネルパターンが自己容量方式とされる場合を示したが、タッチパネルパターンが相互容量方式であっても構わない。
（２５）上記した各実施形態では、透過型の液晶パネルを例示したが、反射型の液晶パネルや半透過型の液晶パネルであっても本発明は適用可能である。
（２６）上記した各実施形態では、一対の基板間に液晶層が挟持された構成とされた液晶パネルについて例示したが、一対の基板間に液晶材料以外の機能性有機分子を挟持した表示パネルについても本発明は適用可能である。
【符号の説明】
【００５１】
１０…液晶表示装置（表示装置）、１１ＥＸ，２１１ＥＸ，３１１ＥＸ…拡張外形部、１１ＦＸ，３１１ＦＸ…一定外形部、１１ＳＨ…縮小外形部、１２，１１２，２１２，３１２，５１２…ドライバ（信号供給部）、２０，５２０…ＣＦ基板（対向基板）、２１，１２１，３２１，４２１，５２１…アレイ基板（基板）、２４…画素電極、２７…ソース配線（表示配線）、２８…カラーフィルタ、３０…タッチ電極（位置検出電極）、３０Ａ…第１タッチ電極（位置検出電極）、３０Ｂ，１３０Ｂ，２３０Ｂ，３３０Ｂ…第２タッチ電極（位置検出電極）、３１Ａ…第１領域用タッチ配線（第１領域用配線）、３１Ｂ，１３１Ｂ，３３１Ｂ…第２領域用タッチ配線（第２の配線）、３１Ｃ，１３１Ｃ，２３１Ｃ…スルータッチ配線（配線）、４０，１４０…第１タッチ引き出し配線（第１引き出し配線）、４１，１４１，２４１，３４１…第２タッチ引き出し配線（第２引き出し配線）、４２，１４２…第１領域用タッチ引き出し配線（第１領域用引き出し配線）、４３…ソース引き出し配線（表示引き出し配線）、４４…第３タッチ引き出し配線（第３引き出し配線）、４５…スルーゲート回路接続配線（配線）、４６…第１ゲート回路引き出し配線（第１引き出し配線）、４７…第２ゲート回路引き出し配線（第２引き出し配線）、１３１Ｂ２…第２領域用第２タッチ配線（第３の配線）、４１３…フレキシブル基板（信号供給部）、４２６…ゲート配線（第２の表示配線）、ＡＡ…表示領域、Ａ１…第１領域、Ａ２…第２領域、ＣＡＸ…湾曲軸、ＧＤＭ…ゲート回路部（表示回路部）
【図１】
2019086575.tif 000003
【図２】
2019086575.tif 000004
【図３】
2019086575.tif 000005
【図４】
2019086575.tif 000006
【図５】
2019086575.tif 000007
【図６】
2019086575.tif 000008
【図７】
2019086575.tif 000009
【図８】
2019086575.tif 000010
【図９】
2019086575.tif 000011
【図１０】
2019086575.tif 000012
【図１１】
2019086575.tif 000013
【図１２】
2019086575.tif 000014
【図１３】
2019086575.tif 000015
【図１４】
2019086575.tif 000016
【図１５】
2019086575.tif 000017